(57)【要約】  メモリアクセス部（１６）は、現在のフレームが、走査期間内のフレームの直前に位置するフレームである場合には、受信した画像信号をメモリ（１０）に書き込む。一方、現在のフレームが、休止期間内のフレームの直前に位置するフレームである場合には、受信した画像信号をメモリ（１０）に書き込まない。これにより、外部から受信した画像信号をメモリ（１０）に書き込む際の消費電力を低減する。
2013129260.tif 000002
【特許請求の範囲】
【請求項１】
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備えていることを特徴とする表示装置。
【請求項２】
上記書き込み手段は、現在のフレームが、上記休止期間内のフレームの直前に位置し、かつ、上記走査期間内にあるフレームである場合に、上記受信手段が受信した画像信号を上記メモリに書き込まないことを特徴とする請求項１に記載の表示装置。
【請求項３】
上記休止期間は、複数のフレームによって構成されており、
上記書き込み手段は、現在のフレームが、上記休止期間内の他のフレームの直前に位置する、当該休止期間内のフレームである場合に、上記受信手段が受信した画像信号を上記メモリに書き込まないことを特徴とする請求項１または２に記載の表示装置。
【請求項４】
上記読み出し手段は、上記休止期間内の各上記フレームにおいて、上記メモリに格納されている上記画像信号を上記メモリから読み出さないことを特徴とする請求項１〜３のいずれか１項に記載の表示装置。
【請求項５】
上記少なくとも一部の領域は、上記画面における一部の領域であり、
上記メモリ内の上記領域は、上記画面における上記一部の領域に対応した第１の部分領域と、上記画面における上記一部の領域以外の領域に対応した第２の部分領域とに分かれており、
上記書き込み手段は、現在のフレームが、上記休止期間を構成するフレームの直前のフレームである場合には、上記受信手段が受信した画像信号における、上記一部の領域に対応する部分を、上記第１の部分領域に書き込まず、かつ、上記受信手段が受信した画像信号における、上記一部の領域以外の領域に対応する部分を、上記第２の部分領域に書き込むことを特徴とする請求項１〜４のいずれか１項に記載の表示装置。
【請求項６】
上記少なくとも一部の領域は、上記画面における全ての領域であることを特徴とする請求項１〜４のいずれか１項に記載の表示装置。
【請求項７】
前記複数の画素の各々のＴＦＴの半導体層には、酸化物半導体が用いられていることを特徴とする請求項１〜６のいずれか１項に記載の表示装置。
【請求項８】
上記酸化物半導体は、ＩＧＺＯであることを特徴とする請求項７に記載の表示装置。
【請求項９】
液晶表示装置であることを特徴とする請求項１〜８のいずれか１項に記載の表示装置。
【請求項１０】
複数の走査線と、上記複数の走査線に交差する複数のデータ線と、当該複数の走査線および当該複数のデータ線の各交差点近傍に個別に設けられた複数の画素とを備えた表示パネルと、画像信号を格納するための領域を有するメモリとを備えた表示装置の駆動方法であって、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力工程と、
各上記フレームにおいて、表示装置の外部から入力される画像信号を受信する受信工程と、
現在のフレームが、上記走査期間内の上記フレームの直前に位置する上記フレームである場合には、上記受信工程において受信した画像信号を上記メモリに書き込むと共に、現在のフレームが、上記休止期間内の上記フレームの直前に位置する上記フレームである場合には、上記受信工程において受信した画像信号を上記メモリに書き込まない書き込み工程と、
上記走査期間内の各上記フレームにおいて、上記メモリに格納されている上記画像信号を上記メモリから読み出す読み出し工程と、
上記走査期間内の各上記フレームにおいて、走査信号を上記各走査線に出力する走査信号出力工程と、
上記走査期間内の各上記フレームにおいて、上記読み出し工程において読み出した上記画像信号を受け取り、上記各データ線に出力する画像信号出力工程とを備えていることを特徴とする表示装置の駆動方法。
【発明の詳細な説明】
【技術分野】
【０００１】
本発明は、休止駆動を実行する表示装置、および当該表示装置の駆動方法に関する。
【背景技術】
【０００２】
従来、液晶表示装置が各種の電子機器に幅広く搭載されている。液晶表示装置には、薄型、軽量、および低消費電力という各種の利点があるため、今後、その活用はより一層進んでいくと期待されている。【０００３】
近年、各種の表示装置において消費電力を低下させることが共通の課題となっている。この課題を解決するための有力な技術の一つとして、休止駆動が提案されている。休止駆動を行う表示装置は、走査期間中の各フレームフレームにおいて表示パネルを走査した後、それに続く休止期間中の各フレームにおいて、表示パネルを走査しない。この休止期間では、直前のフレームにおいて表示パネルの画素に印加された電圧が保持され、それによって、画像の表示も維持される。これにより、休止期間では表示パネルに対して走査信号および画像信号を出力せずに済むので、その分、消費電力を低減させることができる。【０００４】
休止駆動を行う液晶表示装置の消費電力を、さらに低減させることができる技術も開発されている。例えば特許文献１には、休止期間に画像メモリからの画像データの転送を停止させることにより、休止期間において画像データ転送のための消費電力を削減することができる表示装置が開示されている。
【先行技術文献】
【特許文献】
【０００５】
【特許文献１】日本国公開特許公報「特許公開２００２−１８２６１９号公報（２００２年６月２６日公開）」
【発明の概要】
【発明が解決しようとする課題】
【０００６】
しかし、特許文献１の液晶表示装置では、画像メモリへの画像データの書き込みに関する消費電力を低減することができない。【０００７】
本発明は上記の課題を解決するためになされたものであり、本発明の一態様に係る表示装置によれば、外部から受信した画像信号をメモリに書き込む際の消費電力をより低減することができるという効果を奏する。
【課題を解決するための手段】
【０００８】
本発明の一態様に係る表示装置は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備えていることを特徴としている。【０００９】
本発明の他の目的、特徴、および優れた点は、以下に示す記載によって十分分かるであろう。また、本発明の利点は、添付図面を参照した次の説明で明白になるであろう。
【発明の効果】
【００１０】
本発明の一態様に係る表示装置は、外部から受信した画像信号をメモリに書き込む際の消費電力をより低減することができるという効果を奏する。
【図面の簡単な説明】
【００１１】
【図１】本発明の一実施形態に係る表示装置の要部構成を示すブロック図である。
【図２】本発明の一実施形態に係る表示装置が備える画素に形成される等価回路を示す図である。
【図３】酸化物半導体を用いたＴＦＴを含む、各種ＴＦＴの特性を示す図である。
【図４】本発明の一実施形態に係る表示装置が休止駆動を実行する際の、各フレームにおける画像信号用メモリ領域の制御の一例を示すタイミングチャート図である。
【図５】本発明の一実施形態に係る表示装置が休止駆動を実行する際の、各フレームにおける画像信号用メモリ領域の制御の他の例を示すタイミングチャート図である。
【図６】本発明の他の実施形態に係る表示装置の要部構成を示すブロック図である。
【図７】表示パネルの画面内の領域と、メモリ内の領域との関係の一例を示す図である。
【図８】表示パネルの画面内の領域と、メモリ内の領域との関係の他の例を示す図である。
【発明を実施するための形態】
【００１２】
〔実施形態１〕
本発明の一実施形態について、図１〜図５を参照して以下に説明する。
【００１３】
（表示装置１）
図１は、本実施形態に係る表示装置１の構成の詳細を示すブロック図である。図１に示すように、表示装置１は、表示パネル２、ゲートドライバ４（走査信号出力手段）、ソースドライバ６（画像信号出力手段）、タイミングコントローラ８、およびメモリ１０を備えている。タイミングコントローラ８は、休止駆動制御部１４（制御信号出力手段）およびメモリアクセス部１６（書き込み手段、読み出し手段、受信手段）を備えている。
【００１４】
表示パネル２は、マトリックス状に配置された複数の画素を有する画面を備えている。また、表示パネル２は、画面を線順次に選択して走査するためのＮ本（Ｎは任意の整数）の走査線Ｇ（ゲートライン）を備えている。さらに、表示パネル２は、選択されたラインに含まれる一行分の画素に画像信号を供給するＭ本（Ｍは任意の整数）のデータ線Ｓ（ソースライン）を備えている。
【００１５】
走査線Ｇとデータ線Ｓとは互いに交差している。各画素は、複数の走査線Ｇおよび複数のデータ線Ｓの各交差点近傍に個別に設けられている。また、各画素は、スイッチング素子であるＴＦＴ（Thin Film Transistor）１２、および画素電極を備えている。本実施形態では、ＴＦＴ１２はｎチャンネル型のものである。画素電極は、ＴＦＴ１２のドレインに接続されている。
【００１６】
表示パネル２は、さらに、図示しない液晶層と、液晶層を挟んで画素電極に対向する、共通電極および補助電極とを備えている。すなわち表示装置１は、いわゆる液晶表示装置である。
【００１７】
図１に示すＧ（ｎ）は、ｎ本目（ｎは１以上Ｎ以下の整数）の走査線Ｇを表す。例えば、Ｇ（１）、Ｇ（２）、および、Ｇ（３）は、それぞれ１本目、２本目および３本目の走査線Ｇを表す。一方、Ｓ（ｍ）はｍ本目（ｍは１以上Ｍ以下の整数）のデータ線Ｓを表す。例えば、Ｓ（１）、Ｓ（２）、および、Ｓ（３）は、それぞれ１本目、２本目および３本目のデータ線Ｓを表す。
【００１８】
（駆動処理の流れ）
以下に、表示装置１が表示パネル２を駆動して画像を表示する際の、基本的な処理の流れを説明する。
【００１９】
まず、表示装置１に対して、表示装置１の外部から、同期信号、制御信号、および画像信号が入力される。表示装置１では、これらの各信号を、タイミングコントローラ８が受信する。
【００２０】
表示装置１には、同期信号として、少なくともクロック信号、水平同期信号、および、垂直同期信号が入力される。タイミングコントローラ８は、これらの同期信号に基づき、各回路が同期して動作するための基準となる信号を各回路に対して出力する。具体的には、ゲートドライバ４には、各種の走査制御信号（ゲートスタートパルス信号ＧＳＰ、ゲートクロック信号ＧＣＫ、および、ゲートアウトプットイネーブル信号ＧＯＥ）を出力する。一方、ソースドライバ６には、各種の同期信号（ソーススタートパルス信号ＳＳＰ、ソースラッチストローブ信号ＳＬＳ、および、ソースクロック信号ＳＣＫ）を出力する。
【００２１】
制御信号は、表示装置１が行う休止駆動に関する情報を含んでいる。休止駆動についての詳細は後述する。
【００２２】
画像信号は、あるフレームにおける１画面分の画像を表す信号である。表示装置１では、画像信号は、実際にその画像信号を表示パネル２に供給するフレームの直前のフレームにおいて、外部からタイミングコントローラ８に入力される。タイミングコントローラ８内のメモリアクセス部１６は、入力された画像信号をいったんメモリ１０に格納する。
【００２３】
メモリ１０は、ｅＤＲＡＭなどの揮発性のメモリである。メモリ１０は、１フレーム分（１画面分）の画像信号を格納するための、画像信号用メモリ領域を少なくとも有している。メモリアクセス部１６は、受信した画像信号をメモリ１０に書き込む際、この画像信号用メモリ領域に書き込む。
【００２４】
メモリアクセス部１６は、メモリ１０に格納された画像信号を必要とするフレームになったとき、メモリ１０から、当該画像信号を読み出す。タイミングコントローラ８は、メモリアクセス部１６がメモリ１０から読み出した画像信号を、ソースドライバ６に出力する。
【００２５】
ゲートドライバ４は、タイミングコントローラ８から受け取ったゲートスタートパルス信号ＧＳＰを合図に、表示パネル２の走査を開始する。ゲートドライバ４は、各走査線Ｇを、表示パネル２の画面の上から下に向かって順次走査する。その際、走査線Ｇの選択状態をシフトさせていく信号であるゲートクロック信号ＧＣＫに従って、各走査線Ｇに、順次、ＴＦＴ１２をオン状態にさせるための矩形波の走査信号を出力する。これにより、画面内の１行分の画素を選択状態にする。
【００２６】
ソースドライバ６は、タイミングコントローラ８から受け取った画像信号から、選択された１行分の各画素に出力すべき電圧の値を算出し、その値の電圧を各データ線Ｓに出力する。結果、選択された走査線Ｇ上にある各画素（画素電極）に対して、画像信号を供給する。ソースドライバ６は、タイミングコントローラ８から受け取ったソーススタートパルス信号ＳＳＰを基に、入力された各画素の画像信号をソースクロック信号ＳＣＫに従ってレジスタに蓄える。そして、ソースドライバ６は、画像信号を蓄えた後に、次のソースラッチストローブ信号ＳＬＳに従って、表示パネル２の各データ線Ｓを通して、選択状態となっている各画素が有する画素電極に、画像信号を書き込む。画像信号の書き込みには、例えばソースドライバ６が有するアナログアンプ（不図示）が用いられる。
【００２７】
表示装置１は、さらに、画面内の各画素に対して設けられる共通電極（不図示）および補助電極（不図示）を備えている。ソースドライバ６は、共通電極に対して所定の共通電圧（ＶＣＯＭ）を出力する。
【００２８】
以上の処理によって、各画素に供給された画像信号の電圧に応じて、画素内の液晶層に、所定の電圧（液晶印加電圧）が印加される。この液晶印加電圧に応じて、液晶の透過率が制御される。この結果、透過率に応じた量のバックライト光が、画素を通じて表示パネル２の外部に出力される。これにより、各画素は、供給された画像信号に応じた輝度を表示する。この結果、表示パネル２は、画像信号に応じた画像を画面に表示する。
【００２９】
（液晶印加電圧の詳細）
各画素の液晶に印加される電圧の詳細について、図２を参照して以下に説明する。図２は、本実施形態の表示装置１が備える画素に形成される等価回路を示す図である。この図に示す例では、ある画素が備えるＴＦＴ１２のゲートが、走査線Ｇｎに接続されている。一方、ＴＦＴ１２のソースは、信号線Ｓｎに接続されている。また、ＴＦＴ１２のドレインは、図示しない画素電極に接続されている。
【００３０】
図２に示すように、画素内には、各種の容量が形成されている。たとえば、ＴＦＴ１２のゲートとドレインとの間には、容量ＣＤ−Ｇが形成されている。また、ＴＦＴ１２のゲートとソースとの間には、容量ＣＤ−Ｓ１が形成されている。また、ＴＦＴ１２のドレインと共通電極ＣＯＭとの間には、容量ＣＬＣが形成されている。また、ＴＦＴ１２のドレインと補助電極ＣＳとの間には、容量ＣＣＳが形成されている。さらに、ＴＦＴ１２のドレインと、信号線Ｓｍ＋１との間には、容量ＣＤ−Ｓ２が形成されている。
【００３１】
ＴＦＴ１２のドレインには、信号線Ｓｍを通じてＴＦＴ１２のソースに印加された電圧（ソース電圧）から、ゲートの引き込み電圧ΔＶだけ引いた電圧が印加される。このΔＶは、次の式によって求められる。
【００３２】
ΔＶ＝α×（ＶＧＨ−ＶＧＬ）
ここで、ＶＧＨは、走査信号が高状態（オン状態）になる際の電圧である。一方、ＶＧＬは、走査信号が低状態（オフ状態）になる際の電圧である。また、αは、次の式によって求められる。
【００３３】
α＝ＣＤ−Ｇ／（ＣＬＣ＋ＣＣＳ＋ＣＤ−Ｇ＋ＣＤ−Ｓ１＋ＣＤ−Ｓ２）
（ＴＦＴ１２の詳細）
本実施形態の表示装置１においては、表示パネル２が備える複数の画素の各々のＴＦＴ１２として、いわゆる酸化物半導体が半導体層に用いられているＴＦＴを採用しており、特に、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が半導体層に用いられているＴＦＴ１２を採用している。以下、酸化物半導体を用いたＴＦＴ１２の優位性を説明する。
【００３４】
図３は、酸化物半導体を用いたＴＦＴ１２を含む、各種ＴＦＴの特性を示す図である。この図６では、酸化物半導体を用いたＴＦＴ１２、ａ−Ｓｉ（amorphous silicon）を用いた一般的なＴＦＴ、およびＬＴＰＳ（Low Temperature Poly Silicon）を用いた一般的なＴＦＴの各々の特性を示す。
【００３５】
図３において、横軸（Ｖｇｈ）は、各ＴＦＴにおいてゲートに供給されるオン電圧の電圧値を示す。一方、縦軸（Ｉｄ）は、各ＴＦＴにおけるソース−ドレイン間の電流量を示す。また、「ＴＦＴ−ｏｎ」と示されている期間は、オン電圧の電圧値に応じてオン状態となっている期間を示す。さらに、「ＴＦＴ−ｏｆｆ」と示されている期間は、オン電圧の電圧値に応じてオフ状態となっている期間を示す。
【００３６】
（オン特性）
図３に示すように、酸化物半導体を用いたＴＦＴは、ａ−Ｓｉを用いたＴＦＴよりも、オン状態の時の電子移動度が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【００３７】
本実施形態の表示装置１は、このような酸化物半導体を用いたＴＦＴ１２を各画素に採用している。これにより、本実施形態の表示装置１は、ＴＦＴ１２のオン特性が優れているために、より小型のＴＦＴ１２で画素を駆動することができるので、各画素において、ＴＦＴ１２が占める面積の割合を小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【００３８】
また、ＴＦＴ１２のオン特性が優れているために、各画素に対する画像信号の書き込み時間をより短時間化することもできるので、表示パネル２のリフレッシュレートを容易に高くすることができる。
【００３９】
（オフ特性）
図３に示すように、酸化物半導体を用いたＴＦＴ１２は、オフ状態のときのリーク電流が、ａ−Ｓｉを用いたＴＦＴよりも少ない。図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴ１２は、そのＴＦＴ−ｏｆｆ時のＩｄ電流が０．１ｐＡ程度である。
【００４０】
このことから、酸化物半導体を用いたＴＦＴ１２は、オフ状態のときのリーク電流が、ａ−Ｓｉを用いたＴＦＴの１／１００程度であり、リーク電流が殆ど生じない、オフ特性が非常に優れたものであることが分かる。本実施形態の表示装置１は、ＴＦＴ１２のオフ特性が優れているために、表示パネル２の複数の画素の各々の画像信号が書き込まれている状態を長期間維持することができる。したがって、高い表示画質を維持しつつ、後述する休止駆動を実行することができる。また、休止駆動における休止期間を、より長く取ることも可能になる。
【００４１】
（休止駆動）
表示装置１は、動作時に消費電力を減らすために、いわゆる休止駆動を行う。以下に、表示装置１が行う休止駆動について、説明する。
【００４２】
上述したように、表示装置１には、外部から制御信号が入力される。このような表示装置１の外部からの制御信号を、タイミングコントローラ８内の休止駆動制御部１４が受信する。制御信号は、表示パネル２の画面における全ての領域を走査する走査期間を構成するフレーム数を示す情報と、当該少なくとも一部の領域を走査しない休止期間を構成するフレーム数を示す情報とを含んでいる。以下、当該少なくとも一部の領域を、休止領域と称する。
【００４３】
休止駆動制御部１４は、受信した制御信号に基づき、走査期間を構成するフレームの数と、休止期間を構成するフレームの数とを、それぞれ算出する。この場合は、制御信号にそれぞれのフレーム数を示す情報が含まれているので、それぞれの情報が示すフレーム数を、そのまま、走査期間を構成するフレームの数、および、休止期間を構成するフレームの数として算出する。
【００４４】
休止駆動制御部１４は、算出したフレーム数からなる走査期間と、算出したクレーム数からなる休止駆動とを交互に指示する休止駆動制御信号を生成し、ソースドライバ６に出力する。その際、たとえば、走査期間内の各フレームにおいてはＨ値を取り、休止期間内の各フレームにおいてはＬ値を取る制御信号を出力する。この結果、表示装置１では、表示装置１の休止駆動を外部から制御することができる。
【００４５】
タイミングコントローラ８は、ゲートドライバ４には休止駆動制御信号を出力しない。その代わりに、走査期間および休止期間を特定する情報を、ゲートアウトプットイネーブル信号ＧＯＥに含ませる。すなわち、走査期間にはオンになり、休止期間にはオフとなるゲートアウトプットイネーブル信号ＧＯＥをゲートドライバ４に出力する。ゲートドライバ４は、このようなゲートアウトプットイネーブル信号ＧＯＥに基づき動作する。これにより、走査期間には走査信号を各走査線Ｇに出力し、休止期間には出力しない。この結果、休止駆動に対応したゲートのオン／オフ制御を実現する。
【００４６】
ソースドライバ６は、受信した制御信号に基づき、走査期間と休止期間とを特定する。そして、走査期間内の各フレームにおいて、ソースドライバ６は、表示パネル２の全画面における画像信号を各データ線Ｓに出力する。一方、休止期間内の各フレームにおいては、ソースドライバ６は、画像信号を休止領域における各データ線Ｓに出力してもしなくてもよい。
【００４７】
以上の処理によって、休止期間においては、休止領域に対する走査信号の出力に必要な消費電力を少なくとも削減することができるので、休止期間における表示装置１の電力消費量が、駆動期間におけるそれよりも大幅に低減する。その結果、本発明の一態様に係る表示装置では、休止駆動を実行しない表示装置に比べて、より低い電力で動作することができる。なお、休止期間において、各データ線Ｓには画像信号を出力しないことが好ましい。これにより、休止期間において、休止領域に対する画像信号の出力に必要な消費電力をも削減することができるので、表示装置１の電力消費量がよりいっそう低減する。なお、休止期間中は、ソースドライバ６は、休止領域における各データ線Ｓに、黒表示に対応した画像信号を出力してもよい。
【００４８】
各休止期間においては、画素内のＴＦＴがオフされるので、休止期間の直前のフレームにおいて画素の液晶に印可された電圧が、そのまま保持される。したがって、画像の表示も各休止期間おいて維持される。すなわち休止駆動は、一定数のフレームに渡って内容が変化しない領域を含む画像を表示する場合に適している。
【００４９】
（画像信号に基づきフレーム数を算出）
休止駆動制御部１４は、走査期間を構成するフレームの数と、休止期間を構成するフレームの数とを、メモリ１０からタイミングコントローラ８に読み出された画像信号に基づき算出することができる。この場合、タイミングコントローラ８には外部から制御信号は入力されない。休止駆動制御部１４は、読み出された画像信号の内容を解析し、画像信号が表す画像に応じて、走査期間を構成するフレームの数と、休止期間を構成するフレームの数とを算出する。したがって、画像信号が表す画像の中身が変われば、算出されるフレームの数も変動する。これにより、休止駆動制御部１４は、画像信号に応じた最適なフレーム数の走査期間および休止期間をそれぞれ指示する休止駆動制御信号を生成する。その結果、表示装置１は、画像信号に応じた最適な休止駆動を実行できる。
【００５０】
（メモリ内の情報に基づきフレーム数を算出）
休止駆動制御部１４は、走査期間を構成するフレームの数と、休止期間を構成するフレームの数とを、図示しない不揮発性のメモリ（記憶部）に格納された情報に基づき算出することができる。この場合、タイミングコントローラ８には制御信号は入力されない。また、休止駆動制御部１４は、画像信号を解析する必要もない。
【００５１】
上記の不揮発性メモリには、走査期間を構成するフレームの数を示す情報と、休止期間を構成するフレームの数を示す情報とが、それぞれあらかじめ格納されている。休止駆動制御部１４は、これらの情報を不揮発性メモリから読み出し、各情報が示すフレームの数を、そのまま、走査期間を構成するフレームの数と、休止期間を構成するフレームの数として算出する。
【００５２】
（メモリ領域の制御）
図４は、本実施形態に係る表示装置１が休止駆動を実行する際の、各フレームにおける画像信号用メモリ領域の制御の一例を示すタイミングチャート図である。この図において、点線は接地レベルを示す。また、ΔＶは、上述した引き込み電圧を示す。図４に示す例では、走査期間を構成するフレームの数と、休止期間を構成するフレームの数とは、いずれも１つである。すなわち、１フレームごとに、走査期間と休止期間とが入れ替わる。
【００５３】
図４の例では、休止領域は、表示パネル２の画面における全領域である。したがって表示装置１は、休止期間内の各フレームにおいて、表示パネル２におけるすべての走査線Ｇに、走査信号を出力しない。これにより、休止期間内の各フレームにおいて、表示パネル２をまったく走査しない。
【００５４】
休止駆動制御部１４は、高レベルと低レベルとが１フレームごとに交互に繰り返される休止駆動制御信号を生成し、ソースドライバ６に出力する。図４の例では、休止駆動制御信号における高レベルが走査期間を表し、低レベルが休止期間を表す。しかしこの関係は逆であってもよい。すなわち、休止駆動制御信号における低レベルが走査期間を表し、高レベルが休止期間を表してもよい。
【００５５】
ソースドライバ６は、各走査期間において、画像信号を表示パネル２に出力する。その際、走査期間ごとに、出力する画像信号の極性を反転させる。これにより、液晶印加電圧の極性も、走査期間ごとに反転する。その結果、液晶に同じ極性の電荷が蓄積することを防止できるので、表示品位の劣化を防止することができる。なお、ソースドライバ６は、各フレームにおいて、データ信号線ごとに画像信号の極性を反転させる。すなわち、いわゆるソース反転駆動を実行する。
【００５６】
なお、ソースドライバ６は、各休止期間においては、画像信号を各データ線に出力しない。その際、各データ線の電圧レベルを接地レベルに制御するか、または、端子開放状態（高インピーダンスレベル）に制御してもよい。図４の例では、接地レベルに制御している。
【００５７】
走査信号は、各走査期間の最初にオンになり、あとはオフ状態を維持する。走査期間において、ＴＦＴ１２のゲートがオンするタイミングで、ＴＦＴ１２のソース電圧から引き込み電圧ΔＶだけ低い電圧が、ＴＦＴ１２のドレインに印加される。
【００５８】
表示装置１には、フレームごとに、外部から画像信号が入力される。この画像信号をタイミングコントローラ８内のメモリアクセス部１６が受信する。メモリアクセス部１６は、休止期間内のフレームにおいて、受信した画像信号を、メモリ１０内の画像信号用のメモリ領域に書き込む。一方、すでにメモリ１０に書き込まれている画像信号を、メモリ１０から読み出すことはしない。すなわちメモリアクセス部１６は、休止期間内のフレームにおいては、画像信号の書き込み動作のみを実行する。したがって、読み出し処理に必要な電力を削減することができる。
【００５９】
メモリアクセス部１６は、走査期間内のフレームにおいては、すでにメモリ１０に書き込まれている画像信号を、メモリ１０から読み出す。タイミングコントローラ８は、このときメモリアクセス部１６が読み出した画像信号を、ソースドライバ６に出力する。この結果、ソースドライバ６は、走査期間内のフレームにおいて、入力された画像信号を各データ線Ｓに出力する。
【００６０】
一方、メモリアクセス部１６は、走査期間内のフレームにおいて、受信した画像信号を、メモリ１０内の画像信号用のメモリ領域に書き込まない。図４の例では、走査期間内のフレームの次に、休止期間内のフレームが位置している。したがって、走査期間内のフレームにおいて受信した画像信号を、メモリ１０に書き込んだとしても、その画像信号を次のフレームにおいて利用することはない。すなわち、走査期間内のフレームにおいて受信した画像信号を、メモリ１０内に書き込まなくても、何ら問題は生じない。一方、このような制御によって、走査期間内のフレームにおいて、画像信号をメモリ１０に書き込むための電力を削減することができる。
【００６１】
（他の例）
図５は、本発明の一実施形態に係る表示装置が休止駆動を実行する際の、各フレームにおける画像信号用メモリ領域の制御の他の例を示すタイミングチャート図である。図５に示す例では、走査期間を構成するフレームは１つである。一方、休止期間を構成するフレームは２つである。
【００６２】
図５の例では、休止期間内の２つのフレームにおいて、メモリ領域の制御が互いに異なる。具体的には、一方のフレームにおいては、画像信号の書き込みはするが読み出しは実行せず、他方のフレームにおいては、画像信号の書き込みおよび読み出しを両方とも実行しない。これにより、図４のように休止期間が１つのフレームからなる場合に比べて、より一層、消費電力を削減することができる。
【００６３】
各フレームにおけるメモリ領域の制御について、以下に詳細に説明する。表示装置１には、フレームごとに、外部から画像信号が入力される。この画像信号をタイミングコントローラ８内のメモリアクセス部１６が受信する。
【００６４】
メモリアクセス部１６は、休止期間内の各フレームのうち、走査期間内のフレームの直前に位置するフレームにおいて、受信した画像信号をメモリ１０内の画像信号用のメモリ領域に書き込む。このとき書き込まれた画像信号は、次のフレームにおいて表示パネル２を駆動する際に用いられる。一方、同じフレームにおいて、すでにメモリ１０に書き込まれている画像信号を、メモリ１０から読み出すことはしない。すなわちメモリアクセス部１６は、休止期間内の各フレームのうち、走査期間内のフレームの直前に位置するフレームにおいては、画像信号の書き込み動作のみを実行する。したがって、読み出し処理に必要な電力を削減することができる。
【００６５】
メモリアクセス部１６は、休止期間内の各フレームのうち、当該休止期間内の他のフレームの直前に位置するフレームにおいては、受信した画像信号をメモリ１０内の画像信号用のメモリ領域に書き込まない。さらに、同じフレームにおいて、すでにメモリ１０に書き込まれている画像信号を、メモリ１０から読み出すことはしない。すなわちメモリアクセス部１６は、休止期間内の各フレームのうち、当該休止期間内の他のフレームの直前に位置するフレームにおいては、画像信号の書き込み処理および読み出し処理の両方を実行しない。したがって、書き込み処理に必要な電力および読み出し処理必要な電力を、両方とも削減することができる。
【００６６】
メモリアクセス部１６は、走査期間内のフレームにおいては、すでにメモリ１０に書き込まれている画像信号を、メモリ１０から読み出す。タイミングコントローラ８は、このときメモリアクセス部１６が読み出した画像信号を、ソースドライバ６に出力する。この結果、ソースドライバ６は、走査期間内のフレームにおいて、入力された画像信号を各データ線Ｓに出力する。
【００６７】
一方、メモリアクセス部１６は、走査期間内のフレームにおいて、受信した画像信号を、メモリ１０内の画像信号用のメモリ領域に書き込まない。図４の例では、走査期間内のフレームの次に、休止期間内のフレームが位置している。したがって、走査期間内のフレームにおいて受信した画像信号を、メモリ１０に書き込んだとしても、その画像信号を次のフレームにおいて利用することはない。すなわち、走査期間内のフレームにおいて受信した画像信号を、メモリ１０内に書き込まなくても、何ら問題は生じない。一方、このような制御によって、走査期間内のフレームにおいて、画像信号をメモリ１０に書き込むための電力を削減することができる。
【００６８】
以上のように、休止期間を構成するフレームが２つである場合、休止期間を構成するフレームが１つである場合に比べて、画像信号の書き込み処理の回数をより減らせるので、消費電力をより一層低減することができる。なお、休止期間を構成するフレームの数が３つ以上の場合も、２つの場合と同様に、休止期間内の各フレームのうち、当該休止期間内の他のフレームの直前に位置するフレームにおいては、画像信号の書き込み処理および読み出し処理の両方を実行しなければよい。したがって、休止期間を構成するフレームの数が増えれば増えるほど、画像信号の書き込み処理の回数をより一層減らせるので、消費電力もその分、より低減することができる。
【００６９】
（まとめ）
以上のように、本実施形態に係る表示装置１は、現在のフレームが、休止期間内のフレームの直前に位置するフレームである場合には、受信した画像信号をメモリ１０に書き込まない。この画像信号がメモリ１０に書き込まれなくても、休止期間中には各データ線Ｓに画像信号を出力する必要がないので、何ら問題は生じない。すなわち、表示パネル２の画面における画像表示に何ら支障はない。一方、メモリ１０への画像信号の書き込み処理が不要となるので、そのために必要な消費電力を低減することができる。
【００７０】
〔実施形態２〕
本発明に係る第２の実施形態について、図６〜図８を参照して以下に説明する。なお、上述した第の実施形態と共通する各部材には同じ符号を付し、詳細な説明を省略する。
【００７１】
図６は、本発明の第２の実施形態に係る表示装置１ａの要部構成を示すブロック図である。この図に示すように、表示装置１ａは、図１に示す表示装置１が備える各要素に加えて、さらに、領域制御部１８を備えている。領域制御部１８は、タイミングコントローラ８の内部に備えられている。
【００７２】
本実施形態の表示装置１ａは、表示パネルの画面における一部の領域である休止領域については、休止駆動の対象とする。一方、休止領域以外の領域である通常走査領域については、休止駆動ではなく通常駆動の対象とする。したがって、画面における通常走査領域については、フレームごとに、対応する画像信号を必ず表示パネル２に出力する。一方、休止領域については、走査期間内のフレームでは対応する画像信号を表示パネル２に出力するが、休止期間内の各フレームでは、対応する画像信号を表示パネル２に出力しない。その結果、通常走査領域ではフレームごとに必ず表示画像が更新されるが、休止領域では走査期間内の各フレームにおいてのみ、表示画像が更新される。
【００７３】
図７は、表示パネル２の画面内の領域と、メモリ１０内の領域との関係の一例を示す図である。この図に示す例では、表示パネル２における上半分の領域が休止領域であり、下半分が通常走査領域である。領域制御部１８は、表示パネル２の画面における休止領域および通常走査領域を特定するための領域制御信号を生成して、ソースドライバ６に出力する。ソースドライバ６は、この領域制御信号に基づき、画面における休止領域および通常走査領域を特定する。これにより、入力された画像信号における、通常走査領域に対応する箇所を特定し、通常走査領域を走査する際に各データ線Ｓに出力する。
【００７４】
領域制御部１８は、通常走査領域を特定するための座標情報を含む領域制御信号を生成する。図７の例では、通常走査領域は、表示パネル２の画面における、第ｎ１行目〜第ｎ２行目、かつ、第ｍ１列目〜第ｍ２列目の部分を占めている（ｎ１，ｎ２，ｍ１，ｍ３はいずれ正の整数）。そこで、これらの行番号および列番号を含む領域制御信号を生成する。
【００７５】
メモリ１０内の画像信号用メモリ領域の行数および列数は、表示パネル２の画面の行数および列数と同一である。すなわち、１画面分の画像信号をちょうど可能できる範囲の画像信号用メモリ領域が、メモリ１０内に形成されている。本実施形態の表示装置１ａでは、メモリ１０内の画像信号用メモリ領域は、画面における休止領域に対応した休止領域用メモリ領域（第１の部分領域）と、画面における通常走査領域に対応した通常走査領域用メモリ領域（第２の部分領域）とに分かれている。画面における休止領域および通常走査領域の相対位置と、画像信号用メモリ領域における休止領域用メモリ領域および通常走査領域用メモリ領域の相対位置とは、互いに等しい。たとえば、図７の例では、通常走査領域用メモリ領域は、画像信号用メモリ領域における、第ｎ１行目〜第ｎ２行目、かつ、第ｍ１列目〜第ｍ２列目の部分を占めている。
【００７６】
メモリアクセス部１６は、現在のフレームが、休止期間を構成するフレームの直前のフレームである場合には、受信した画像信号における休止領域に対応する部分を、休止領域用メモリ領域に書き込まず、かつ、受信した画像信号における通常走査領域に対応する部分を、通常走査領域用メモリ領域に書き込む。この結果、休止領域を対象にして休止駆動を実行する際、通常走査領域に対して無駄な書き込み処理を行わずに済む。したがって、表示パネルの画面における一部の領域を対象に休止駆動を実行する際、消費電力をより低減させることができる。
【００７７】
（領域設定の他の例）
図８は、表示パネル２の画面内の領域と、メモリ１０内の領域との関係の他のを示す図である。この図に示すように、領域制御部１８は、通常走査領域が休止領域の内部に配置されるようにそれぞれの領域を定義した領域制御信号を生成することもできる。図８の例では、通常走査領域は、表示パネル２の画面における、第ｎ行目〜第ｎ＋３００行目、かつ、第ｍ列目〜第ｍ＋８００列目の部分を占めている（ｎ，ｍはいずれも正の整数）。そこで、これらの行番号および列番号を含む領域制御信号を生成する。
【００７８】
図８の例でも、画面における休止領域および通常走査領域の相対位置と、画像信号用メモリ領域における休止領域用メモリ領域および通常走査領域用メモリ領域の相対位置とは、互いに等しい。すなわち、通常走査領域用メモリ領域は、画像信号用メモリ領域における、第ｎ行目〜第ｎ＋３００行目、かつ、第ｍ列目〜第ｍ＋８００列目の部分を占めている。
【００７９】
図７および図８に示すように、表示装置１ａでは、休止領域および通常走査領域は、表示パネル２の画面における任意に位置に配置することができる。ただし、図８に示すような配置にする場合は、表示パネル２が、画素単位で走査が可能な構成とする必要がある。
【００８０】
〔まとめ〕
本発明の一態様に係る表示装置は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備えていることを特徴としている。
【００８１】
上記の構成によれば、本発明の一態様に係る表示装置は、いわゆる休止駆動を実行する。具体的には、走査期間内の各フレームにおいては、表示パネルの画面における全ての領域を走査するが、休止期間内の各フレームにおいては、当該画面における少なくとも一部の領域を走査しない。これにより、休止期間における表示装置の電力消費量が、走査期間におけるそれよりも大幅に低減する。したがって、本発明の一態様に係る表示装置では、休止駆動を実行しない表示装置に比べて、より低い電力で動作することができる。
【００８２】
本発明の一態様に係る表示装置は、外部から入力される画像信号を受信する。そして、現在のフレームが、走査期間内のフレームの直前に位置するフレームである場合には、受信した画像信号をメモリに書き込む。このときメモリに書き込んだ画像信号を、走査期間内のフレームにおいて、メモリから読み出し、各データ線に出力する。これにより、走査期間において、表示パネルを正常に駆動することができる。
【００８３】
一方、本発明の一態様に係る表示装置は、現在のフレームが、休止期間内のフレームの直前に位置するフレームである場合には、受信した画像信号をメモリに書き込まない。この画像信号がメモリに書き込まれなくても、休止期間中には各データ線に画像信号を出力する必要がないので、何ら問題は生じない。すなわち、表示パネルの画面における画像表示に何ら支障はない。一方、メモリへの画像信号の書き込み処理が不要となるので、そのために必要な消費電力を低減することができる。
【００８４】
以上のように、本発明の一態様に係る表示装置は、外部から受信した画像信号をメモリに書き込む際の消費電力をより低減することができるという効果を奏する。
【００８５】
本発明の一態様に係る表示装置の駆動方法は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、画像信号を格納するための領域を有するメモリとを備えた表示装置の駆動方法であって、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力工程と、
各上記フレームにおいて、表示装置の外部から入力される画像信号を受信する受信工程と、
現在のフレームが、上記走査期間内の上記フレームの直前に位置する上記フレームである場合には、上記受信工程において受信した画像信号を上記メモリに書き込むと共に、現在のフレームが、上記休止期間内の上記フレームの直前に位置する上記フレームである場合には、上記受信工程において受信した画像信号を上記メモリに書き込まない書き込み工程と、
上記走査期間内の各上記フレームにおいて、上記メモリに格納されている上記画像信号を上記メモリから読み出す読み出し工程と、
上記走査期間内の各上記フレームにおいて、走査信号を上記各走査線に出力する走査信号出力工程と、
上記走査期間内の各上記フレームにおいて、上記読み出し工程において読み出した上記画像信号を受け取り、上記各データ線に出力する画像信号出力工程とを備えていることを特徴としている。
【００８６】
上記の構成によれば、本発明の一態様に係る表示装置と同様の作用効果を奏する。
【００８７】
本発明の一態様に係る表示装置では、さらに、
上記読み出し手段は、上記休止期間内の各上記フレームにおいて、上記メモリに格納されている上記画像信号を上記メモリから読み出さないことが好ましい。
【００８８】
上記の構成によれば、メモリへの画像信号の書き込みに必要な電力と、メモリからの画像信号の読み出しに必要な電力とをいずれも削減できる。したがって、休止期間内の消費電力をより一層低減することができる。
【００８９】
上記書き込み手段は、現在のフレームが、上記休止期間内のフレームの直前に位置し、かつ、上記走査期間内にあるフレームである場合に、上記受信手段が受信した画像信号を上記メモリに書き込まないことが好ましい。
【００９０】
上記の構成によれば、走査期間内のフレームにおいて、消費電力を低減することができる。
【００９１】
上記休止期間は、複数のフレームによって構成されており、
上記書き込み手段は、現在のフレームが、上記休止期間内の他のフレームの直前に位置する、当該休止期間内のフレームである場合に、上記受信手段が受信した画像信号を上記メモリに書き込まないことが好ましい。
【００９２】
上記の構成によれば、走査期間内のフレームにおいて、消費電力を低減することができる。
【００９３】
本発明の一態様に係る表示装置では、さらに、
上記少なくとも一部の領域は、上記画面における一部の領域であり、
上記メモリ内の上記領域は、上記画面における上記一部の領域に対応した第１の部分領域と、上記画面における上記一部の領域以外の領域に対応した第２の部分領域とに分かれており、
上記書き込み手段は、現在のフレームが、上記休止期間を構成するフレームの直前のフレームである場合には、上記受信手段が受信した画像信号における、上記一部の領域に対応する部分を、上記第１の部分領域に書き込まず、かつ、上記受信手段が受信した画像信号における、上記一部の領域以外の領域に対応する部分を、上記第２の部分領域に書き込むことが好ましい。
【００９４】
上記の構成によれば、表示パネルの画面における一部の領域については休止駆動を実行すると共に、それ以外の領域については通常駆動を実行することができる。さらに、その際も、休止駆動の対象となる画面上の領域に対応した、メモリ内の部分領域については、無用な書き込み処理を行わずに済む。したがって、表示パネルの画面における一部の領域を対象にして休止駆動を実行する際、消費電力をより一層低減することができる。
【００９５】
本発明の一態様に係る表示装置では、さらに、
上記少なくとも一部の領域は、上記画面における全ての領域であることが好ましい。
【００９６】
上記の構成によれば、表示装置の消費電力をよりいっそう低減できる。
【００９７】
本発明の一態様に係る表示装置では、前記複数の画素の各々のＴＦＴの半導体層には、酸化物半導体が用いられていることが好ましい。特に、上記酸化物半導体は、ＩＧＺＯであることが好ましい。
【００９８】
上記の構成によれば、複数の画素の各々のＴＦＴのオフ特性が優れているために、表示パネルの複数の画素に各々の画像信号が書き込まれている状態を長期間維持することができるので、高い表示画質を維持しつつ、休止駆動を実行することができる。また、休止期間をより長く取ることも可能になる。
【００９９】
本発明の一態様に係る表示装置は、液晶表示装置であることが好ましい。
【０１００】
上記の構成によれば、休止駆動が実行可能であり、かつ、表示パネルに焼き付きを起こすことがない液晶表示装置を実現することができる。
【０１０１】
本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１０２】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１０３】
本発明に係る表示装置は、休止駆動を実行する液晶表示装置等の各種の表示装置として、幅広く利用することができる。
【符号の説明】
【０１０４】
１  表示装置
２  表示パネル
４  ゲートドライバ（走査信号出力手段）
６  ソースドライバ（画像信号出力手段）
８  タイミングコントローラ
１０  メモリ
１２  ＴＦＴ
１４  休止駆動制御部（制御信号出力手段）
１６  メモリアクセス部（書き込み手段、読み出し手段、受信手段）
１８  領域制御部
【図１】
2013129260.tif 000003
【図２】
2013129260.tif 000004
【図３】
2013129260.tif 000005
【図４】
2013129260.tif 000006
【図５】
2013129260.tif 000007
【図６】
2013129260.tif 000008
【図７】
2013129260.tif 000009
【図８】
2013129260.tif 000010
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備え、
上記少なくとも一部の領域は、上記画面における一部の領域であり、
上記メモリ内の上記領域は、上記画面における上記一部の領域に対応した第１の部分領域と、上記画面における上記一部の領域以外の領域に対応した第２の部分領域とに分かれており、
上記書き込み手段は、現在のフレームが、上記休止期間を構成するフレームの直前のフレームである場合には、上記受信手段が受信した画像信号における、上記一部の領域に対応する部分を、上記第１の部分領域に書き込まず、かつ、上記受信手段が受信した画像信号における、上記一部の領域以外の領域に対応する部分を、上記第２の部分領域に書き込むことを特徴とする表示装置。
【請求項２】
上記書き込み手段は、現在のフレームが、上記休止期間内のフレームの直前に位置し、かつ、上記走査期間内にあるフレームである場合に、上記受信手段が受信した画像信号を上記メモリに書き込まないことを特徴とする請求項１に記載の表示装置。
【請求項３】
上記休止期間は、複数のフレームによって構成されており、
上記書き込み手段は、現在のフレームが、上記休止期間内の他のフレームの直前に位置する、当該休止期間内のフレームである場合に、上記受信手段が受信した画像信号を上記メモリに書き込まないことを特徴とする請求項１または２に記載の表示装置。
【請求項４】
上記読み出し手段は、上記休止期間内の各上記フレームにおいて、上記メモリに格納されている上記画像信号を上記メモリから読み出さないことを特徴とする請求項１〜３のいずれか１項に記載の表示装置。
【請求項５】
前記複数の画素の各々のＴＦＴの半導体層には、酸化物半導体が用いられていることを特徴とする請求項１〜４のいずれか１項に記載の表示装置。
【請求項６】
上記酸化物半導体は、インジウム、ガリウム、および亜鉛から構成される酸化物であることを特徴とする請求項５に記載の表示装置。
【請求項７】
液晶表示装置であることを特徴とする請求項１〜６のいずれか１項に記載の表示装置。
【請求項８】
複数の走査線と、上記複数の走査線に交差する複数のデータ線と、当該複数の走査線および当該複数のデータ線の各交差点近傍に個別に設けられた複数の画素とを備えた表示パネルと、画像信号を格納するための領域を有するメモリとを備えた表示装置の駆動方法であって、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力工程と、
各上記フレームにおいて、表示装置の外部から入力される画像信号を受信する受信工程と、
現在のフレームが、上記走査期間内の上記フレームの直前に位置する上記フレームである場合には、上記受信工程において受信した画像信号を上記メモリに書き込むと共に、現在のフレームが、上記休止期間内の上記フレームの直前に位置する上記フレームである場合には、上記受信工程において受信した画像信号を上記メモリに書き込まない書き込み工程と、
上記走査期間内の各上記フレームにおいて、上記メモリに格納されている上記画像信号を上記メモリから読み出す読み出し工程と、
上記走査期間内の各上記フレームにおいて、走査信号を上記各走査線に出力する走査信号出力工程と、
上記走査期間内の各上記フレームにおいて、上記読み出し工程において読み出した上記画像信号を受け取り、上記各データ線に出力する画像信号出力工程とを有し、
上記少なくとも一部の領域は、上記画面における一部の領域であり、
上記メモリ内の上記領域は、上記画面における上記一部の領域に対応した第１の部分領域と、上記画面における上記一部の領域以外の領域に対応した第２の部分領域とに分かれており、
上記書き込み工程において、現在のフレームが、上記休止期間を構成するフレームの直前のフレームである場合には、上記受信工程において受信した画像信号における、上記一部の領域に対応する部分を、上記第１の部分領域に書き込まず、かつ、上記受信工程において受信した画像信号における、上記一部の領域以外の領域に対応する部分を、上記第２の部分領域に書き込むことを特徴とする表示装置の駆動方法。
【手続補正２】
【補正対象書類名】明細書
【補正対象項目名】全文
【補正方法】変更
【補正の内容】
【発明の詳細な説明】
【技術分野】
【０００１】
本発明は、休止駆動を実行する表示装置、および当該表示装置の駆動方法に関する。
【背景技術】
【０００２】
従来、液晶表示装置が各種の電子機器に幅広く搭載されている。液晶表示装置には、薄型、軽量、および低消費電力という各種の利点があるため、今後、その活用はより一層進んでいくと期待されている。
【０００３】
近年、各種の表示装置において消費電力を低下させることが共通の課題となっている。この課題を解決するための有力な技術の一つとして、休止駆動が提案されている。休止駆動を行う表示装置は、走査期間中の各フレームにおいて表示パネルを走査した後、それに続く休止期間中の各フレームにおいて、表示パネルを走査しない。この休止期間では、直前のフレームにおいて表示パネルの画素に印加された電圧が保持され、それによって、画像の表示も維持される。これにより、休止期間では表示パネルに対して走査信号および画像信号を出力せずに済むので、その分、消費電力を低減させることができる。
【０００４】
休止駆動を行う液晶表示装置の消費電力を、さらに低減させることができる技術も開発されている。例えば特許文献１には、休止期間に画像メモリからの画像データの転送を停止させることにより、休止期間において画像データ転送のための消費電力を削減することができる表示装置が開示されている。
【先行技術文献】
【特許文献】
【０００５】
【特許文献１】日本国公開特許公報「特許公開２００２−１８２６１９号公報（２００２年６月２６日公開）」
【発明の概要】
【発明が解決しようとする課題】
【０００６】
しかし、特許文献１の液晶表示装置では、画像メモリへの画像データの書き込みに関する消費電力を低減することができない。
【０００７】
本発明は上記の課題を解決するためになされたものであり、本発明の一態様に係る表示装置によれば、外部から受信した画像信号をメモリに書き込む際の消費電力をより低減することができるという効果を奏する。
【課題を解決するための手段】
【０００８】
本発明の一態様に係る表示装置は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備えていることを特徴としている。
【０００９】
本発明の他の目的、特徴、および優れた点は、以下に示す記載によって十分分かるであろう。また、本発明の利点は、添付図面を参照した次の説明で明白になるであろう。
【発明の効果】
【００１０】
本発明の一態様に係る表示装置は、外部から受信した画像信号をメモリに書き込む際の消費電力をより低減することができるという効果を奏する。
【図面の簡単な説明】
【００１１】
【図１】本発明の一実施形態に係る表示装置の要部構成を示すブロック図である。
【図２】本発明の一実施形態に係る表示装置が備える画素に形成される等価回路を示す図である。
【図３】酸化物半導体を用いたＴＦＴを含む、各種ＴＦＴの特性を示す図である。
【図４】本発明の一実施形態に係る表示装置が休止駆動を実行する際の、各フレームにおける画像信号用メモリ領域の制御の一例を示すタイミングチャート図である。
【図５】本発明の一実施形態に係る表示装置が休止駆動を実行する際の、各フレームにおける画像信号用メモリ領域の制御の他の例を示すタイミングチャート図である。
【図６】本発明の他の実施形態に係る表示装置の要部構成を示すブロック図である。
【図７】表示パネルの画面内の領域と、メモリ内の領域との関係の一例を示す図である。
【図８】表示パネルの画面内の領域と、メモリ内の領域との関係の他の例を示す図である。
【発明を実施するための形態】
【００１２】
〔実施形態１〕
本発明の一実施形態について、図１〜図５を参照して以下に説明する。
【００１３】
（表示装置１）
図１は、本実施形態に係る表示装置１の構成の詳細を示すブロック図である。図１に示すように、表示装置１は、表示パネル２、ゲートドライバ４（走査信号出力手段）、ソースドライバ６（画像信号出力手段）、タイミングコントローラ８、およびメモリ１０を備えている。タイミングコントローラ８は、休止駆動制御部１４（制御信号出力手段）およびメモリアクセス部１６（書き込み手段、読み出し手段、受信手段）を備えている。
【００１４】
表示パネル２は、マトリックス状に配置された複数の画素を有する画面を備えている。また、表示パネル２は、画面を線順次に選択して走査するためのＮ本（Ｎは任意の整数）の走査線Ｇ（ゲートライン）を備えている。さらに、表示パネル２は、選択されたラインに含まれる一行分の画素に画像信号を供給するＭ本（Ｍは任意の整数）のデータ線Ｓ（ソースライン）を備えている。
【００１５】
走査線Ｇとデータ線Ｓとは互いに交差している。各画素は、複数の走査線Ｇおよび複数のデータ線Ｓの各交差点近傍に個別に設けられている。また、各画素は、スイッチング素子であるＴＦＴ（Thin Film Transistor）１２、および画素電極を備えている。本実施形態では、ＴＦＴ１２はｎチャンネル型のものである。画素電極は、ＴＦＴ１２のドレインに接続されている。
【００１６】
表示パネル２は、さらに、図示しない液晶層と、液晶層を挟んで画素電極に対向する、共通電極および補助電極とを備えている。すなわち表示装置１は、いわゆる液晶表示装置である。
【００１７】
図１に示すＧ（ｎ）は、ｎ本目（ｎは１以上Ｎ以下の整数）の走査線Ｇを表す。例えば、Ｇ（１）、Ｇ（２）、および、Ｇ（３）は、それぞれ１本目、２本目および３本目の走査線Ｇを表す。一方、Ｓ（ｍ）はｍ本目（ｍは１以上Ｍ以下の整数）のデータ線Ｓを表す。例えば、Ｓ（１）、Ｓ（２）、および、Ｓ（３）は、それぞれ１本目、２本目および３本目のデータ線Ｓを表す。
【００１８】
（駆動処理の流れ）
以下に、表示装置１が表示パネル２を駆動して画像を表示する際の、基本的な処理の流れを説明する。
【００１９】
まず、表示装置１に対して、表示装置１の外部から、同期信号、制御信号、および画像信号が入力される。表示装置１では、これらの各信号を、タイミングコントローラ８が受信する。
【００２０】
表示装置１には、同期信号として、少なくともクロック信号、水平同期信号、および、垂直同期信号が入力される。タイミングコントローラ８は、これらの同期信号に基づき、各回路が同期して動作するための基準となる信号を各回路に対して出力する。具体的には、ゲートドライバ４には、各種の走査制御信号（ゲートスタートパルス信号ＧＳＰ、ゲートクロック信号ＧＣＫ、および、ゲートアウトプットイネーブル信号ＧＯＥ）を出力する。一方、ソースドライバ６には、各種の同期信号（ソーススタートパルス信号ＳＳＰ、ソースラッチストローブ信号ＳＬＳ、および、ソースクロック信号ＳＣＫ）を出力する。
【００２１】
制御信号は、表示装置１が行う休止駆動に関する情報を含んでいる。休止駆動についての詳細は後述する。
【００２２】
画像信号は、あるフレームにおける１画面分の画像を表す信号である。表示装置１では、画像信号は、実際にその画像信号を表示パネル２に供給するフレームの直前のフレームにおいて、外部からタイミングコントローラ８に入力される。タイミングコントローラ８内のメモリアクセス部１６は、入力された画像信号をいったんメモリ１０に格納する。
【００２３】
メモリ１０は、ｅＤＲＡＭなどの揮発性のメモリである。メモリ１０は、１フレーム分（１画面分）の画像信号を格納するための、画像信号用メモリ領域を少なくとも有している。メモリアクセス部１６は、受信した画像信号をメモリ１０に書き込む際、この画像信号用メモリ領域に書き込む。
【００２４】
メモリアクセス部１６は、メモリ１０に格納された画像信号を必要とするフレームになったとき、メモリ１０から、当該画像信号を読み出す。タイミングコントローラ８は、メモリアクセス部１６がメモリ１０から読み出した画像信号を、ソースドライバ６に出力する。
【００２５】
ゲートドライバ４は、タイミングコントローラ８から受け取ったゲートスタートパルス信号ＧＳＰを合図に、表示パネル２の走査を開始する。ゲートドライバ４は、各走査線Ｇを、表示パネル２の画面の上から下に向かって順次走査する。その際、走査線Ｇの選択状態をシフトさせていく信号であるゲートクロック信号ＧＣＫに従って、各走査線Ｇに、順次、ＴＦＴ１２をオン状態にさせるための矩形波の走査信号を出力する。これにより、画面内の１行分の画素を選択状態にする。
【００２６】
ソースドライバ６は、タイミングコントローラ８から受け取った画像信号から、選択された１行分の各画素に出力すべき電圧の値を算出し、その値の電圧を各データ線Ｓに出力する。結果、選択された走査線Ｇ上にある各画素（画素電極）に対して、画像信号を供給する。ソースドライバ６は、タイミングコントローラ８から受け取ったソーススタートパルス信号ＳＳＰを基に、入力された各画素の画像信号をソースクロック信号ＳＣＫに従ってレジスタに蓄える。そして、ソースドライバ６は、画像信号を蓄えた後に、次のソースラッチストローブ信号ＳＬＳに従って、表示パネル２の各データ線Ｓを通して、選択状態となっている各画素が有する画素電極に、画像信号を書き込む。画像信号の書き込みには、例えばソースドライバ６が有するアナログアンプ（不図示）が用いられる。
【００２７】
表示装置１は、さらに、画面内の各画素に対して設けられる共通電極（不図示）および補助電極（不図示）を備えている。ソースドライバ６は、共通電極に対して所定の共通電圧（ＶＣＯＭ）を出力する。
【００２８】
以上の処理によって、各画素に供給された画像信号の電圧に応じて、画素内の液晶層に、所定の電圧（液晶印加電圧）が印加される。この液晶印加電圧に応じて、液晶の透過率が制御される。この結果、透過率に応じた量のバックライト光が、画素を通じて表示パネル２の外部に出力される。これにより、各画素は、供給された画像信号に応じた輝度を表示する。この結果、表示パネル２は、画像信号に応じた画像を画面に表示する。
【００２９】
（液晶印加電圧の詳細）
各画素の液晶に印加される電圧の詳細について、図２を参照して以下に説明する。図２は、本実施形態の表示装置１が備える画素に形成される等価回路を示す図である。この図に示す例では、ある画素が備えるＴＦＴ１２のゲートが、走査線Ｇｎに接続されている。一方、ＴＦＴ１２のソースは、信号線Ｓｎに接続されている。また、ＴＦＴ１２のドレインは、図示しない画素電極に接続されている。
【００３０】
図２に示すように、画素内には、各種の容量が形成されている。たとえば、ＴＦＴ１２のゲートとドレインとの間には、容量ＣＤ−Ｇが形成されている。また、ＴＦＴ１２のゲートとソースとの間には、容量ＣＤ−Ｓ１が形成されている。また、ＴＦＴ１２のドレインと共通電極ＣＯＭとの間には、容量ＣＬＣが形成されている。また、ＴＦＴ１２のドレインと補助電極ＣＳとの間には、容量ＣＣＳが形成されている。さらに、ＴＦＴ１２のドレインと、信号線Ｓｍ＋１との間には、容量ＣＤ−Ｓ２が形成されている。
【００３１】
ＴＦＴ１２のドレインには、信号線Ｓｍを通じてＴＦＴ１２のソースに印加された電圧（ソース電圧）から、ゲートの引き込み電圧ΔＶだけ引いた電圧が印加される。このΔＶは、次の式によって求められる。
【００３２】
ΔＶ＝α×（ＶＧＨ−ＶＧＬ）
ここで、ＶＧＨは、走査信号が高状態（オン状態）になる際の電圧である。一方、ＶＧＬは、走査信号が低状態（オフ状態）になる際の電圧である。また、αは、次の式によって求められる。
【００３３】
α＝ＣＤ−Ｇ／（ＣＬＣ＋ＣＣＳ＋ＣＤ−Ｇ＋ＣＤ−Ｓ１＋ＣＤ−Ｓ２）
（ＴＦＴ１２の詳細）
本実施形態の表示装置１においては、表示パネル２が備える複数の画素の各々のＴＦＴ１２として、いわゆる酸化物半導体が半導体層に用いられているＴＦＴを採用しており、特に、上記酸化物半導体として、インジウム（Ｉｎ）、ガリウム（Ｇａ）、および亜鉛（Ｚｎ）から構成される酸化物である、いわゆるＩｎＧａＺｎＯｘが半導体層に用いられているＴＦＴ１２を採用している。以下、酸化物半導体を用いたＴＦＴ１２の優位性を説明する。
【００３４】
図３は、酸化物半導体を用いたＴＦＴ１２を含む、各種ＴＦＴの特性を示す図である。この図３では、酸化物半導体を用いたＴＦＴ１２、ａ−Ｓｉ（amorphous silicon）を用いた一般的なＴＦＴ、およびＬＴＰＳ（Low Temperature Poly Silicon）を用いた一般的なＴＦＴの各々の特性を示す。
【００３５】
図３において、横軸（Ｖｇｈ）は、各ＴＦＴにおいてゲートに供給されるオン電圧の電圧値を示す。一方、縦軸（Ｉｄ）は、各ＴＦＴにおけるソース−ドレイン間の電流量を示す。また、「ＴＦＴ−ｏｎ」と示されている期間は、オン電圧の電圧値に応じてオン状態となっている期間を示す。さらに、「ＴＦＴ−ｏｆｆ」と示されている期間は、オン電圧の電圧値に応じてオフ状態となっている期間を示す。
【００３６】
（オン特性）
図３に示すように、酸化物半導体を用いたＴＦＴは、ａ−Ｓｉを用いたＴＦＴよりも、オン状態の時の電子移動度が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【００３７】
本実施形態の表示装置１は、このような酸化物半導体を用いたＴＦＴ１２を各画素に採用している。これにより、本実施形態の表示装置１は、ＴＦＴ１２のオン特性が優れているために、より小型のＴＦＴ１２で画素を駆動することができるので、各画素において、ＴＦＴ１２が占める面積の割合を小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【００３８】
また、ＴＦＴ１２のオン特性が優れているために、各画素に対する画像信号の書き込み時間をより短時間化することもできるので、表示パネル２のリフレッシュレートを容易に高くすることができる。
【００３９】
（オフ特性）
図３に示すように、酸化物半導体を用いたＴＦＴ１２は、オフ状態のときのリーク電流が、ａ−Ｓｉを用いたＴＦＴよりも少ない。図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴ１２は、そのＴＦＴ−ｏｆｆ時のＩｄ電流が０．１ｐＡ程度である。
【００４０】
このことから、酸化物半導体を用いたＴＦＴ１２は、オフ状態のときのリーク電流が、ａ−Ｓｉを用いたＴＦＴの１／１００程度であり、リーク電流が殆ど生じない、オフ特性が非常に優れたものであることが分かる。本実施形態の表示装置１は、ＴＦＴ１２のオフ特性が優れているために、表示パネル２の複数の画素の各々の画像信号が書き込まれている状態を長期間維持することができる。したがって、高い表示画質を維持しつつ、後述する休止駆動を実行することができる。また、休止駆動における休止期間を、より長く取ることも可能になる。
【００４１】
（休止駆動）
表示装置１は、動作時に消費電力を減らすために、いわゆる休止駆動を行う。以下に、表示装置１が行う休止駆動について、説明する。
【００４２】
上述したように、表示装置１には、外部から制御信号が入力される。このような表示装置１の外部からの制御信号を、タイミングコントローラ８内の休止駆動制御部１４が受信する。制御信号は、表示パネル２の画面における全ての領域を走査する走査期間を構成するフレーム数を示す情報と、当該少なくとも一部の領域を走査しない休止期間を構成するフレーム数を示す情報とを含んでいる。以下、当該少なくとも一部の領域を、休止領域と称する。
【００４３】
休止駆動制御部１４は、受信した制御信号に基づき、走査期間を構成するフレームの数と、休止期間を構成するフレームの数とを、それぞれ算出する。この場合は、制御信号にそれぞれのフレーム数を示す情報が含まれているので、それぞれの情報が示すフレーム数を、そのまま、走査期間を構成するフレームの数、および、休止期間を構成するフレームの数として算出する。
【００４４】
休止駆動制御部１４は、算出したフレーム数からなる走査期間と、算出したフレーム数からなる休止期間とを交互に指示する休止駆動制御信号を生成し、ソースドライバ６に出力する。その際、たとえば、走査期間内の各フレームにおいてはＨ値を取り、休止期間内の各フレームにおいてはＬ値を取る制御信号を出力する。この結果、表示装置１では、表示装置１の休止駆動を外部から制御することができる。
【００４５】
タイミングコントローラ８は、ゲートドライバ４には休止駆動制御信号を出力しない。その代わりに、走査期間および休止期間を特定する情報を、ゲートアウトプットイネーブル信号ＧＯＥに含ませる。すなわち、走査期間にはオンになり、休止期間にはオフとなるゲートアウトプットイネーブル信号ＧＯＥをゲートドライバ４に出力する。ゲートドライバ４は、このようなゲートアウトプットイネーブル信号ＧＯＥに基づき動作する。これにより、走査期間には走査信号を各走査線Ｇに出力し、休止期間には出力しない。この結果、休止駆動に対応したゲートのオン／オフ制御を実現する。
【００４６】
ソースドライバ６は、受信した制御信号に基づき、走査期間と休止期間とを特定する。そして、走査期間内の各フレームにおいて、ソースドライバ６は、表示パネル２の全画面における画像信号を各データ線Ｓに出力する。一方、休止期間内の各フレームにおいては、ソースドライバ６は、画像信号を休止領域における各データ線Ｓに出力してもしなくてもよい。
【００４７】
以上の処理によって、休止期間においては、休止領域に対する走査信号の出力に必要な消費電力を少なくとも削減することができるので、休止期間における表示装置１の電力消費量が、駆動期間におけるそれよりも大幅に低減する。その結果、本発明の一態様に係る表示装置では、休止駆動を実行しない表示装置に比べて、より低い電力で動作することができる。なお、休止期間において、各データ線Ｓには画像信号を出力しないことが好ましい。これにより、休止期間において、休止領域に対する画像信号の出力に必要な消費電力をも削減することができるので、表示装置１の電力消費量がよりいっそう低減する。なお、休止期間中は、ソースドライバ６は、休止領域における各データ線Ｓに、黒表示に対応した画像信号を出力してもよい。
【００４８】
各休止期間においては、画素内のＴＦＴがオフされるので、休止期間の直前のフレームにおいて画素の液晶に印可された電圧が、そのまま保持される。したがって、画像の表示も各休止期間おいて維持される。すなわち休止駆動は、一定数のフレームに渡って内容が変化しない領域を含む画像を表示する場合に適している。
【００４９】
（画像信号に基づきフレーム数を算出）
休止駆動制御部１４は、走査期間を構成するフレームの数と、休止期間を構成するフレームの数とを、メモリ１０からタイミングコントローラ８に読み出された画像信号に基づき算出することができる。この場合、タイミングコントローラ８には外部から制御信号は入力されない。休止駆動制御部１４は、読み出された画像信号の内容を解析し、画像信号が表す画像に応じて、走査期間を構成するフレームの数と、休止期間を構成するフレームの数とを算出する。したがって、画像信号が表す画像の中身が変われば、算出されるフレームの数も変動する。これにより、休止駆動制御部１４は、画像信号に応じた最適なフレーム数の走査期間および休止期間をそれぞれ指示する休止駆動制御信号を生成する。その結果、表示装置１は、画像信号に応じた最適な休止駆動を実行できる。
【００５０】
（メモリ内の情報に基づきフレーム数を算出）
休止駆動制御部１４は、走査期間を構成するフレームの数と、休止期間を構成するフレームの数とを、図示しない不揮発性のメモリ（記憶部）に格納された情報に基づき算出することができる。この場合、タイミングコントローラ８には制御信号は入力されない。また、休止駆動制御部１４は、画像信号を解析する必要もない。
【００５１】
上記の不揮発性メモリには、走査期間を構成するフレームの数を示す情報と、休止期間を構成するフレームの数を示す情報とが、それぞれあらかじめ格納されている。休止駆動制御部１４は、これらの情報を不揮発性メモリから読み出し、各情報が示すフレームの数を、そのまま、走査期間を構成するフレームの数と、休止期間を構成するフレームの数として算出する。
【００５２】
（メモリ領域の制御）
図４は、本実施形態に係る表示装置１が休止駆動を実行する際の、各フレームにおける画像信号用メモリ領域の制御の一例を示すタイミングチャート図である。この図において、点線は接地レベルを示す。また、ΔＶは、上述した引き込み電圧を示す。図４に示す例では、走査期間を構成するフレームの数と、休止期間を構成するフレームの数とは、いずれも１つである。すなわち、１フレームごとに、走査期間と休止期間とが入れ替わる。
【００５３】
図４の例では、休止領域は、表示パネル２の画面における全領域である。したがって表示装置１は、休止期間内の各フレームにおいて、表示パネル２におけるすべての走査線Ｇに、走査信号を出力しない。これにより、休止期間内の各フレームにおいて、表示パネル２をまったく走査しない。
【００５４】
休止駆動制御部１４は、高レベルと低レベルとが１フレームごとに交互に繰り返される休止駆動制御信号を生成し、ソースドライバ６に出力する。図４の例では、休止駆動制御信号における高レベルが走査期間を表し、低レベルが休止期間を表す。しかしこの関係は逆であってもよい。すなわち、休止駆動制御信号における低レベルが走査期間を表し、高レベルが休止期間を表してもよい。
【００５５】
ソースドライバ６は、各走査期間において、画像信号を表示パネル２に出力する。その際、走査期間ごとに、出力する画像信号の極性を反転させる。これにより、液晶印加電圧の極性も、走査期間ごとに反転する。その結果、液晶に同じ極性の電荷が蓄積することを防止できるので、表示品位の劣化を防止することができる。なお、ソースドライバ６は、各フレームにおいて、データ信号線ごとに画像信号の極性を反転させる。すなわち、いわゆるソース反転駆動を実行する。
【００５６】
なお、ソースドライバ６は、各休止期間においては、画像信号を各データ線に出力しない。その際、各データ線の電圧レベルを接地レベルに制御するか、または、端子開放状態（高インピーダンスレベル）に制御してもよい。図４の例では、接地レベルに制御している。
【００５７】
走査信号は、各走査期間の最初にオンになり、あとはオフ状態を維持する。走査期間において、ＴＦＴ１２のゲートがオンするタイミングで、ＴＦＴ１２のソース電圧から引き込み電圧ΔＶだけ低い電圧が、ＴＦＴ１２のドレインに印加される。
【００５８】
表示装置１には、フレームごとに、外部から画像信号が入力される。この画像信号をタイミングコントローラ８内のメモリアクセス部１６が受信する。メモリアクセス部１６は、休止期間内のフレームにおいて、受信した画像信号を、メモリ１０内の画像信号用のメモリ領域に書き込む。一方、すでにメモリ１０に書き込まれている画像信号を、メモリ１０から読み出すことはしない。すなわちメモリアクセス部１６は、休止期間内のフレームにおいては、画像信号の書き込み動作のみを実行する。したがって、読み出し処理に必要な電力を削減することができる。
【００５９】
メモリアクセス部１６は、走査期間内のフレームにおいては、すでにメモリ１０に書き込まれている画像信号を、メモリ１０から読み出す。タイミングコントローラ８は、このときメモリアクセス部１６が読み出した画像信号を、ソースドライバ６に出力する。この結果、ソースドライバ６は、走査期間内のフレームにおいて、入力された画像信号を各データ線Ｓに出力する。
【００６０】
一方、メモリアクセス部１６は、走査期間内のフレームにおいて、受信した画像信号を、メモリ１０内の画像信号用のメモリ領域に書き込まない。図４の例では、走査期間内のフレームの次に、休止期間内のフレームが位置している。したがって、走査期間内のフレームにおいて受信した画像信号を、メモリ１０に書き込んだとしても、その画像信号を次のフレームにおいて利用することはない。すなわち、走査期間内のフレームにおいて受信した画像信号を、メモリ１０内に書き込まなくても、何ら問題は生じない。一方、このような制御によって、走査期間内のフレームにおいて、画像信号をメモリ１０に書き込むための電力を削減することができる。
【００６１】
（他の例）
図５は、本発明の一実施形態に係る表示装置が休止駆動を実行する際の、各フレームにおける画像信号用メモリ領域の制御の他の例を示すタイミングチャート図である。図５に示す例では、走査期間を構成するフレームは１つである。一方、休止期間を構成するフレームは２つである。
【００６２】
図５の例では、休止期間内の２つのフレームにおいて、メモリ領域の制御が互いに異なる。具体的には、一方のフレームにおいては、画像信号の書き込みはするが読み出しは実行せず、他方のフレームにおいては、画像信号の書き込みおよび読み出しを両方とも実行しない。これにより、図４のように休止期間が１つのフレームからなる場合に比べて、より一層、消費電力を削減することができる。
【００６３】
各フレームにおけるメモリ領域の制御について、以下に詳細に説明する。表示装置１には、フレームごとに、外部から画像信号が入力される。この画像信号をタイミングコントローラ８内のメモリアクセス部１６が受信する。
【００６４】
メモリアクセス部１６は、休止期間内の各フレームのうち、走査期間内のフレームの直前に位置するフレームにおいて、受信した画像信号をメモリ１０内の画像信号用のメモリ領域に書き込む。このとき書き込まれた画像信号は、次のフレームにおいて表示パネル２を駆動する際に用いられる。一方、同じフレームにおいて、すでにメモリ１０に書き込まれている画像信号を、メモリ１０から読み出すことはしない。すなわちメモリアクセス部１６は、休止期間内の各フレームのうち、走査期間内のフレームの直前に位置するフレームにおいては、画像信号の書き込み動作のみを実行する。したがって、読み出し処理に必要な電力を削減することができる。
【００６５】
メモリアクセス部１６は、休止期間内の各フレームのうち、当該休止期間内の他のフレームの直前に位置するフレームにおいては、受信した画像信号をメモリ１０内の画像信号用のメモリ領域に書き込まない。さらに、同じフレームにおいて、すでにメモリ１０に書き込まれている画像信号を、メモリ１０から読み出すことはしない。すなわちメモリアクセス部１６は、休止期間内の各フレームのうち、当該休止期間内の他のフレームの直前に位置するフレームにおいては、画像信号の書き込み処理および読み出し処理の両方を実行しない。したがって、書き込み処理に必要な電力および読み出し処理必要な電力を、両方とも削減することができる。
【００６６】
メモリアクセス部１６は、走査期間内のフレームにおいては、すでにメモリ１０に書き込まれている画像信号を、メモリ１０から読み出す。タイミングコントローラ８は、このときメモリアクセス部１６が読み出した画像信号を、ソースドライバ６に出力する。この結果、ソースドライバ６は、走査期間内のフレームにおいて、入力された画像信号を各データ線Ｓに出力する。
【００６７】
一方、メモリアクセス部１６は、走査期間内のフレームにおいて、受信した画像信号を、メモリ１０内の画像信号用のメモリ領域に書き込まない。図４の例では、走査期間内のフレームの次に、休止期間内のフレームが位置している。したがって、走査期間内のフレームにおいて受信した画像信号を、メモリ１０に書き込んだとしても、その画像信号を次のフレームにおいて利用することはない。すなわち、走査期間内のフレームにおいて受信した画像信号を、メモリ１０内に書き込まなくても、何ら問題は生じない。一方、このような制御によって、走査期間内のフレームにおいて、画像信号をメモリ１０に書き込むための電力を削減することができる。
【００６８】
以上のように、休止期間を構成するフレームが２つである場合、休止期間を構成するフレームが１つである場合に比べて、画像信号の書き込み処理の回数をより減らせるので、消費電力をより一層低減することができる。なお、休止期間を構成するフレームの数が３つ以上の場合も、２つの場合と同様に、休止期間内の各フレームのうち、当該休止期間内の他のフレームの直前に位置するフレームにおいては、画像信号の書き込み処理および読み出し処理の両方を実行しなければよい。したがって、休止期間を構成するフレームの数が増えれば増えるほど、画像信号の書き込み処理の回数をより一層減らせるので、消費電力もその分、より低減することができる。
【００６９】
（まとめ）
以上のように、本実施形態に係る表示装置１は、現在のフレームが、休止期間内のフレームの直前に位置するフレームである場合には、受信した画像信号をメモリ１０に書き込まない。この画像信号がメモリ１０に書き込まれなくても、休止期間中には各データ線Ｓに画像信号を出力する必要がないので、何ら問題は生じない。すなわち、表示パネル２の画面における画像表示に何ら支障はない。一方、メモリ１０への画像信号の書き込み処理が不要となるので、そのために必要な消費電力を低減することができる。
【００７０】
〔実施形態２〕
本発明に係る第２の実施形態について、図６〜図８を参照して以下に説明する。なお、上述した第１の実施形態と共通する各部材には同じ符号を付し、詳細な説明を省略する。
【００７１】
図６は、本発明の第２の実施形態に係る表示装置１ａの要部構成を示すブロック図である。この図に示すように、表示装置１ａは、図１に示す表示装置１が備える各要素に加えて、さらに、領域制御部１８を備えている。領域制御部１８は、タイミングコントローラ８の内部に備えられている。
【００７２】
本実施形態の表示装置１ａは、表示パネルの画面における一部の領域である休止領域については、休止駆動の対象とする。一方、休止領域以外の領域である通常走査領域については、休止駆動ではなく通常駆動の対象とする。したがって、画面における通常走査領域については、フレームごとに、対応する画像信号を必ず表示パネル２に出力する。一方、休止領域については、走査期間内のフレームでは対応する画像信号を表示パネル２に出力するが、休止期間内の各フレームでは、対応する画像信号を表示パネル２に出力しない。その結果、通常走査領域ではフレームごとに必ず表示画像が更新されるが、休止領域では走査期間内の各フレームにおいてのみ、表示画像が更新される。
【００７３】
図７は、表示パネル２の画面内の領域と、メモリ１０内の領域との関係の一例を示す図である。この図に示す例では、表示パネル２における上半分の領域が休止領域であり、下半分が通常走査領域である。領域制御部１８は、表示パネル２の画面における休止領域および通常走査領域を特定するための領域制御信号を生成して、ソースドライバ６に出力する。ソースドライバ６は、この領域制御信号に基づき、画面における休止領域および通常走査領域を特定する。これにより、入力された画像信号における、通常走査領域に対応する箇所を特定し、通常走査領域を走査する際に各データ線Ｓに出力する。
【００７４】
領域制御部１８は、通常走査領域を特定するための座標情報を含む領域制御信号を生成する。図７の例では、通常走査領域は、表示パネル２の画面における、第ｎ１行目〜第ｎ２行目、かつ、第ｍ１列目〜第ｍ２列目の部分を占めている（ｎ１，ｎ２，ｍ１，ｍ２はいずれ正の整数）。そこで、これらの行番号および列番号を含む領域制御信号を生成する。
【００７５】
メモリ１０内の画像信号用メモリ領域の行数および列数は、表示パネル２の画面の行数および列数と同一である。すなわち、１画面分の画像信号をちょうど可能できる範囲の画像信号用メモリ領域が、メモリ１０内に形成されている。本実施形態の表示装置１ａでは、メモリ１０内の画像信号用メモリ領域は、画面における休止領域に対応した休止領域用メモリ領域（第１の部分領域）と、画面における通常走査領域に対応した通常走査領域用メモリ領域（第２の部分領域）とに分かれている。画面における休止領域および通常走査領域の相対位置と、画像信号用メモリ領域における休止領域用メモリ領域および通常走査領域用メモリ領域の相対位置とは、互いに等しい。たとえば、図７の例では、通常走査領域用メモリ領域は、画像信号用メモリ領域における、第ｎ１行目〜第ｎ２行目、かつ、第ｍ１列目〜第ｍ２列目の部分を占めている。
【００７６】
メモリアクセス部１６は、現在のフレームが、休止期間を構成するフレームの直前のフレームである場合には、受信した画像信号における休止領域に対応する部分を、休止領域用メモリ領域に書き込まず、かつ、受信した画像信号における通常走査領域に対応する部分を、通常走査領域用メモリ領域に書き込む。この結果、休止領域を対象にして休止駆動を実行する際、通常走査領域に対して無駄な書き込み処理を行わずに済む。したがって、表示パネルの画面における一部の領域を対象に休止駆動を実行する際、消費電力をより低減させることができる。
【００７７】
（領域設定の他の例）
図８は、表示パネル２の画面内の領域と、メモリ１０内の領域との関係の他の例を示す図である。この図に示すように、領域制御部１８は、通常走査領域が休止領域の内部に配置されるようにそれぞれの領域を定義した領域制御信号を生成することもできる。図８の例では、通常走査領域は、表示パネル２の画面における、第ｎ行目〜第ｎ＋３００行目、かつ、第ｍ列目〜第ｍ＋８００列目の部分を占めている（ｎ，ｍはいずれも正の整数）。そこで、これらの行番号および列番号を含む領域制御信号を生成する。
【００７８】
図８の例でも、画面における休止領域および通常走査領域の相対位置と、画像信号用メモリ領域における休止領域用メモリ領域および通常走査領域用メモリ領域の相対位置とは、互いに等しい。すなわち、通常走査領域用メモリ領域は、画像信号用メモリ領域における、第ｎ行目〜第ｎ＋３００行目、かつ、第ｍ列目〜第ｍ＋８００列目の部分を占めている。
【００７９】
図７および図８に示すように、表示装置１ａでは、休止領域および通常走査領域は、表示パネル２の画面における任意に位置に配置することができる。ただし、図８に示すような配置にする場合は、表示パネル２が、画素単位で走査が可能な構成とする必要がある。
【００８０】
〔まとめ〕
本発明の一態様に係る表示装置は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力手段と、
各上記フレームにおいて、表示装置の外部から入力される画像信号を受信する受信手段と、
上記受信手段が受信した上記画像信号を格納するための領域を有するメモリと、
現在のフレームが、上記走査期間内の上記フレームの直前に位置する上記フレームである場合には、上記受信手段が受信した画像信号を上記メモリに書き込むと共に、現在のフレームが、上記休止期間内の上記フレームの直前に位置する上記フレームである場合には、上記受信手段が受信した画像信号を上記メモリに書き込まない書き込み手段と、
上記走査期間内の各上記フレームにおいて、上記メモリに格納されている上記画像信号を上記メモリから読み出す読み出し手段と、
上記走査期間内の各上記フレームにおいて、走査信号を上記各走査線に出力する走査信号出力手段と、
上記走査期間内の各上記フレームにおいて、上記読み出し手段が読み出した上記画像信号を受け取り、上記各データ線に出力する画像信号出力手段とを備えていることを特徴としている。
【００８１】
上記の構成によれば、本発明の一態様に係る表示装置は、いわゆる休止駆動を実行する。具体的には、走査期間内の各フレームにおいては、表示パネルの画面における全ての領域を走査するが、休止期間内の各フレームにおいては、当該画面における少なくとも一部の領域を走査しない。これにより、休止期間における表示装置の電力消費量が、走査期間におけるそれよりも大幅に低減する。したがって、本発明の一態様に係る表示装置では、休止駆動を実行しない表示装置に比べて、より低い電力で動作することができる。
【００８２】
本発明の一態様に係る表示装置は、外部から入力される画像信号を受信する。そして、現在のフレームが、走査期間内のフレームの直前に位置するフレームである場合には、受信した画像信号をメモリに書き込む。このときメモリに書き込んだ画像信号を、走査期間内のフレームにおいて、メモリから読み出し、各データ線に出力する。これにより、走査期間において、表示パネルを正常に駆動することができる。
【００８３】
一方、本発明の一態様に係る表示装置は、現在のフレームが、休止期間内のフレームの直前に位置するフレームである場合には、受信した画像信号をメモリに書き込まない。この画像信号がメモリに書き込まれなくても、休止期間中には各データ線に画像信号を出力する必要がないので、何ら問題は生じない。すなわち、表示パネルの画面における画像表示に何ら支障はない。一方、メモリへの画像信号の書き込み処理が不要となるので、そのために必要な消費電力を低減することができる。
【００８４】
以上のように、本発明の一態様に係る表示装置は、外部から受信した画像信号をメモリに書き込む際の消費電力をより低減することができるという効果を奏する。
【００８５】
本発明の一態様に係る表示装置の駆動方法は、上記の課題を解決するために、
複数の走査線と、上記複数の走査線に交差する複数のデータ線と、当該複数の走査線および当該複数のデータ線の各交差点近傍に個別に設けられた複数の画素とを備えた表示パネルと、画像信号を格納するための領域を有するメモリとを備えた表示装置の駆動方法であって、
上記表示パネルの画面における全ての領域を走査する、少なくとも１つのフレームによって構成される走査期間と、上記画面における少なくとも一部の領域を走査しない、少なくとも１つのフレームによって構成される休止期間とを交互に指示する制御信号を出力する制御信号出力工程と、
各上記フレームにおいて、表示装置の外部から入力される画像信号を受信する受信工程と、
現在のフレームが、上記走査期間内の上記フレームの直前に位置する上記フレームである場合には、上記受信工程において受信した画像信号を上記メモリに書き込むと共に、現在のフレームが、上記休止期間内の上記フレームの直前に位置する上記フレームである場合には、上記受信工程において受信した画像信号を上記メモリに書き込まない書き込み工程と、
上記走査期間内の各上記フレームにおいて、上記メモリに格納されている上記画像信号を上記メモリから読み出す読み出し工程と、
上記走査期間内の各上記フレームにおいて、走査信号を上記各走査線に出力する走査信号出力工程と、
上記走査期間内の各上記フレームにおいて、上記読み出し工程において読み出した上記画像信号を受け取り、上記各データ線に出力する画像信号出力工程とを備えていることを特徴としている。
【００８６】
上記の構成によれば、本発明の一態様に係る表示装置と同様の作用効果を奏する。
【００８７】
本発明の一態様に係る表示装置では、さらに、
上記読み出し手段は、上記休止期間内の各上記フレームにおいて、上記メモリに格納されている上記画像信号を上記メモリから読み出さないことが好ましい。
【００８８】
上記の構成によれば、メモリへの画像信号の書き込みに必要な電力と、メモリからの画像信号の読み出しに必要な電力とをいずれも削減できる。したがって、休止期間内の消費電力をより一層低減することができる。
【００８９】
上記書き込み手段は、現在のフレームが、上記休止期間内のフレームの直前に位置し、かつ、上記走査期間内にあるフレームである場合に、上記受信手段が受信した画像信号を上記メモリに書き込まないことが好ましい。
【００９０】
上記の構成によれば、走査期間内のフレームにおいて、消費電力を低減することができる。
【００９１】
上記休止期間は、複数のフレームによって構成されており、
上記書き込み手段は、現在のフレームが、上記休止期間内の他のフレームの直前に位置する、当該休止期間内のフレームである場合に、上記受信手段が受信した画像信号を上記メモリに書き込まないことが好ましい。
【００９２】
上記の構成によれば、走査期間内のフレームにおいて、消費電力を低減することができる。
【００９３】
本発明の一態様に係る表示装置では、さらに、
上記少なくとも一部の領域は、上記画面における一部の領域であり、
上記メモリ内の上記領域は、上記画面における上記一部の領域に対応した第１の部分領域と、上記画面における上記一部の領域以外の領域に対応した第２の部分領域とに分かれており、
上記書き込み手段は、現在のフレームが、上記休止期間を構成するフレームの直前のフレームである場合には、上記受信手段が受信した画像信号における、上記一部の領域に対応する部分を、上記第１の部分領域に書き込まず、かつ、上記受信手段が受信した画像信号における、上記一部の領域以外の領域に対応する部分を、上記第２の部分領域に書き込むことが好ましい。
【００９４】
上記の構成によれば、表示パネルの画面における一部の領域については休止駆動を実行すると共に、それ以外の領域については通常駆動を実行することができる。さらに、その際も、休止駆動の対象となる画面上の領域に対応した、メモリ内の部分領域については、無用な書き込み処理を行わずに済む。したがって、表示パネルの画面における一部の領域を対象にして休止駆動を実行する際、消費電力をより一層低減することができる。
【００９５】
本発明の一態様に係る表示装置では、さらに、
上記少なくとも一部の領域は、上記画面における全ての領域であることが好ましい。
【００９６】
上記の構成によれば、表示装置の消費電力をよりいっそう低減できる。
【００９７】
本発明の一態様に係る表示装置では、前記複数の画素の各々のＴＦＴの半導体層には、酸化物半導体が用いられていることが好ましい。特に、上記酸化物半導体は、インジウム、ガリウム、および亜鉛から構成される酸化物であることが好ましい。
【００９８】
上記の構成によれば、複数の画素の各々のＴＦＴのオフ特性が優れているために、表示パネルの複数の画素に各々の画像信号が書き込まれている状態を長期間維持することができるので、高い表示画質を維持しつつ、休止駆動を実行することができる。また、休止期間をより長く取ることも可能になる。
【００９９】
本発明の一態様に係る表示装置は、液晶表示装置であることが好ましい。
【０１００】
上記の構成によれば、休止駆動が実行可能であり、かつ、表示パネルに焼き付きを起こすことがない液晶表示装置を実現することができる。
【０１０１】
本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１０２】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１０３】
本発明に係る表示装置は、休止駆動を実行する液晶表示装置等の各種の表示装置として、幅広く利用することができる。
【符号の説明】
【０１０４】
１  表示装置
２  表示パネル
４  ゲートドライバ（走査信号出力手段）
６  ソースドライバ（画像信号出力手段）
８  タイミングコントローラ
１０  メモリ
１２  ＴＦＴ
１４  休止駆動制御部（制御信号出力手段）
１６  メモリアクセス部（書き込み手段、読み出し手段、受信手段）
１８  領域制御部
【手続補正３】
【補正対象書類名】図面
【補正対象項目名】図３
【補正方法】変更
【補正の内容】
【図３】
2013129260.tif 000011
【国際調査報告】
2013129260.tif 000012
2013129260.tif 000013
2013129260.tif 000014
2013129260.tif 000015